(57)【要約】      （修正有）【課題】寝たきり患者の入浴、トイレの時、介護人の労働的負担が最小限で行える介護ベッドを提供する。【解決手段】ベットの下に排水ポンプを取り付けた浴槽１６を設け、ベットはマット１３を一つ置きのグループ毎に上下に出来る２層マットとしベット全体を前後及び上下に移動出来るようにモーターを設ける。ベット及びリクライニングになる機能を備え、背もたれを倒す角度に沿って後輪が後ろに移動し、座席の下にベット状にした時にアームリフトのアーム１４を差し込める溝を設け、患者を水平に持ち上げられる構造とした車椅子を設ける。便器はにオムツ裁断機と排水ポンプを備え汚物を裁断し直接トイレ排水に排水出来る機能を備えた寝たまま使用出来る便器、又は背もたれお越し歯車アームを取り付けた腰掛け型の便器を設けて、車椅子、ベット、浴槽、及び便器の間をアームリフトで連結し電患者を車椅子からベットに乗り移らせたりできる構成とする。【選択図】図１
2008272400.tif 000002
【特許請求の範囲】
【請求項１】
図１のように、ベットの下に排水ポンプ１８を取り付けた浴槽１６を設け、ベットは図６〜９のように輪切りされたマットを一つ置きのグループ毎に上下に移動出来る２層マットとしベット全体を前後及び上下に移動出来るようにベット前後移動モーター８とベット上下移動モーター４０を設ける。
患者を移動させる車椅子は図１０〜１３のようにベット及びリクライニングになる機能を備え、背もたれを倒す角度に沿って後輪が後ろに移動し、車椅子をリクライニング又はベットにした時に後ろに反り返らないように安定度を持たせ、ベット状にした時に座席及び背もたれの下にアームリフトのアーム１４を差し込める溝１７を設け、アームリフトのアーム１４を差し込んで患者を水平に持ち上げられる構造とした車椅子を設ける。
便器は図１４〜１５のようににオムツ裁断機と排水ポンプを備え汚物を裁断し直接トイレ排水に排水出来る機能を備えた寝たまま使用出来る便器、又は図１６のような背もたれお越し歯車アーム９４を取り付けた腰掛け型の便器を設けて、それぞれ車椅子、ベット、浴槽、及び便器の間を図４〜５のようなアームリフトで連結し電動で操作することによって患者を車椅子からベットに乗り移らせたり、、入浴、排便及びオムツ処理を一人で行えるように組み合わせた、床ずれ防止機能を備えた介護ベッド。
【請求項２】
図４のように入浴時、患者をアームに乗せたまま浴槽につけ込むと患者が浴槽に水没するのを防ぐため上半身用アーム２５が浴槽の淵に接触し浴槽に沿って折り曲がり患者の上半身を持ち上げ、水平に持ち上げた時に上半身用アーム２５が反り返らないようにストッパー２６を設けたアームリフトでアームを折り曲げた時に固定アームと移動アーム２５の間に隙間２７ができ、患者が指を挟む危険があるので移動アーム２５と一緒にスライドするスライド式防護板２９を取り付けたアームリフト及び図５のように腰掛け型便器に対応出来るようにスライド式連結バー３１を取り付けて上半身アーム２５の折り曲がる角度によって下半身アーム３０が連動して折り曲がる構造としたアームリフト。
【請求項３】
図１０〜１１のようにベット及びリクライニングになる機能を備え、背もたれを倒す角度に沿って後輪が後ろに移動し、車椅子をリクライニング又はベットにした時に後ろに反り返らないように安定度を持たせ、座席及び背もたれの下にベット状にした時にアームリフトのアーム１４を差し込める溝１７を設け、アームリフトのアーム１４を差し込んで患者を水平に持ち上げられる構造とした車椅子及び、図１２〜１３のように後輪６０と回転ハンドル付き車輪７２を連結バー７３でタイヤを接触させて連結し、レール７６の中で補助バー７４とローラー７７で前後に移動出来る構造としたベット及びリクライニングになる自走式車椅子
【請求項４】
図１６のように、介護ベットに適用させるため、アーム昇降機のアーム１４に患者を乗せたまま便器の上に水平に下ろせるように、アーム１４の幅に収まる肘掛け９９の中に弧の字型の背もたれお越し歯車９４及びハンドルを取り付けた第１ギャー１００とチェーンで連結された第２ギャーを収納し、ハンドルで弧の字型の背もたれお越し歯車９４を巻き上げて上半身用アーム２５と一緒に背もたれを起こして患者を便座の上に腰掛けられるようにした腰掛け型便器
【発明の詳細な説明】
【技術分野】この発明は、寝たきり患者の介護ベッドに関する。
【背景技術】
【０００３】従来の介護ベッドとしてはシート状の吊り上げリフトで患者を持ち上げ、入浴、排便、車椅子への乗り移りが出来る介護ベットが主であった。
【発明が解決しようとする課題】
【０００４】この発明は従来の介護ベッドでは出来なかった、寝たきり患者の入浴、トイレ時において患者に負担を加えないで寝たまま水平に入浴、排便、車椅子への乗り移りが介護人一人で出来て、介護人の労働的負担を最小限に行えることを目的としている。
【課題を解決するための手段】
【０００５】この発明を図面に基づいて説明すると、図１のように、ベットの下に排水ポンプ１８を取り付けた浴槽１６を設け、ベットは図６〜９のように輪切りされたマットを一つ置きのグループ毎に上下に移動出来る２層マットとしベット全体を前後及び上下に移動出来るようにベット前後移動モーター８とベット上下移動モーター４０を設ける。
患者を移動させる車椅子は図１０〜１３のようにベット及びリクライニングになる機能を備え、背もたれを倒す角度に沿って後輪が後ろに移動し、車椅子をリクライニング又はベットにした時に後ろに反り返らないように安定度を持たせ、座席の下にベット状にした時にアームリフトのアーム１４を差し込める溝１７を設け、アームリフトのアーム１４を差し込んで患者を水平に持ち上げられる構造とした車椅子を設ける。
便器は図１４〜１５のようににオムツ裁断機と排水ポンプを備え汚物を裁断し直接トイレ排水に排水出来る機能を備えた寝たまま使用出来る便器、又は図１６のような背もたれお越し歯車アーム９４を取り付けた腰掛け型の便器を設けて、それぞれ車椅子、ベット、浴槽、及び便器の間を図４〜５のようなアームリフトで連結し電動で操作することによって患者に負担を加えないで寝たまま水平に入浴、排便、車椅子への乗り移りが介護人一人で出来る介護ベットによって、介護人の労働的負担を最小限に行える。
【発明を実施するための最良の形態】
【０００６】以上のように構成された車椅子、ベット、便器、浴槽を組み合わせたアーム昇降機を取り付けた入浴、トイレ兼用の介護ベッドに、実際に患者が車椅子で搬送された状態からベットへの移動のシステムを説明する。
図１は患者を車椅子からベットに乗り移らせる側面図である。
図１のようにまず患者をベット及びリクライニングになる車椅子で移動ベットの側まで搬送し、車椅子の足乗せ台から患者の足を下ろし足乗せ台を開いた後、ベット及びリクライニングになる車椅子のハンドル１２を回転させて車椅子の背もたれを倒してベット状にする事で、患者はベット状になった車椅子の上で図１８のように水平に寝かされる。
この時アームリフトのアーム１４は移動ベットの下に収納されており移動ベットを前方へ水平移動させてアームリフトのアーム１４を持ち上げられるスペースを空け、アーム１４をマットの高さより上に引き上げてベットを後方へ下げて元の位置に戻す。
その後アームリフトの防護枠１１を開いたままの状態でアームリフトを前方に移動させてアーム１４を移動ベットとベット状になった車椅子の間に移動させてアームリフトを下げアーム１４を車椅子のアーム差し込み溝１７の高さに合わせる。
アーム１４がベット及びリクライニングになる車椅子のアーム差し込み溝１７の高さと一致したのを確認してアームリフトを前進させてアーム１４をアーム差し込み溝１７に差し込む、完全に差し込んだのを確認して患者の躰全体がアーム１４の上にあるのを確認し防護枠１１を閉じてアームリフトで患者を持ち上げる。
その後患者を持ち上げたまま移動ベットの上まで患者を移動させる。
アームリフトで患者をベット中央まで水平に運び２層マットの上層マットを持ち上げた状態で患者を移動ベットの中央に下ろし、２層マットの上層マットで患者を支えた状態で移動ベットを前方に移動させてアーム１４を引き抜いた後、アーム１４を再び元のベットの下に収納し移動ベットを後方へ移動し正規の場所に戻す。
その後移動ベットのＬ層マットを下げて平らにする事で車椅子からベットへの乗り移りが完了する。
ベットから車椅子に乗り移らせるには逆の行程を行う。
図２は患者のオムツ処理及び排便をさせる側面図である。
移動ベットの上で患者の下着を脱がし患者をオムツだけの状態にした後、ベットを前方へ水平移動させてアームリフトのアーム１４を持ち上げられるスペースを空けてアーム１４を持ち上げて取り出した後、２層マットの上層マットで患者を持ち上げ患者の背中に空間を作りアーム１４を差し込んで、患者の躰全体がアーム１４の上にあるのを確認して防護枠１１を閉じて患者を持ち上げる、その後、ベットの横に収納された寝たまま使用出来る便器をガイドレール２２に沿って引き出し移動ベットの前方に設置して蓋８６を開ける、この状態で患者をアームリフトで持ち上げて寝たまま使用出来る便器の真上まで移動させて患者を図１５の様にアーム１４に乗せたまま便器の上に寝かせて蓋８６を閉じて手袋８８で紙おむつを外しそのまま便器のシャワー８７で局部を洗い流す。便器にはオムツ裁断機８０と排水ポンプ８１が設置され汚物と一緒に排水中で切断され排水される。
図３は患者を入浴させる側面図である。
車椅子を移動ベットの全面より撤去して浴槽１６に湯を注入し、湯が溜まった後に湯温を確認し、患者がベッドで寝ている状態で図１のようにアームリフトのアーム１４はベットの下に収納されており、患者の衣服を脱がした後移動ベットを前方へ水平移動させてアームリフトのアーム１４を持ち上げられるスペースを空けてアーム１４を持ち上げて取り出し、移動ベットの２層マットの上層マットで患者を持ち上げ患者の背中に空間を作りアーム１４を差し込んで、患者の躰全体がアーム１４の上にあるのを確認して防護枠１１を閉じて患者を持ち上げる。
患者を持ち上げた後、後移動ベットを前方へ水平移動させて浴槽１６の浴槽背面防水板２０を開いてアームリフトで患者を浴槽の真上に移動させてアーム１４を下げ患者を浴槽に浸けて入浴させる。
アーム１４の上半身アームは浴槽１６の淵に固定され背もたれを起こした状態で最下位まで降下し患者を図１９のように浴槽に浸けて入浴させる。
患者を洗う場合はアーム１４をアーム昇降機上下動作ギャーモーター１で浴槽の水面上部まで引き上げる事でアームストッパー２６で上半身用アーム２５の反り返りを防止し患者を浴槽の水面の上に水平にする。
洗剤で体を洗いシャワー１１３で洗い流してタオルでアームリフト１４の水滴と患者の躰を拭いて患者を移動ベットのマットの高さより上まで引き上げて、移動ベットを水平に移動させて元の位置に戻した後、患者をアームリフトで移動ベットの中央に移動させて２層マットの上層マットを持ち上げた状態で患者を上層マットの上に降ろして移動ベットを前方に水平移動させてアーム１４を引き抜きアーム１４をベットの下に収納する。
その後２層マットの上層マットを平らにする事で入浴を完了する。
次に床ずれ防止機能について説明する。
図９は２層マットの分解図ある。
９−Ａは上層マット３８の正面図である。
９−Ｂは上層マット移動バー５０正面図である。
９−Ｃは下層マット３７の正面図である。
９−Ｄは下層マット３７と上層マット３８を取り付けた通常の状態にある正面図である。
９−Ｅは上層マット移動バー５０を少し持ち上げマットを平らにした状態の正面図である。
９−Ｆは上層マット移動バー５０を持ち上げ上層マット３８を下層マット３７より上に持ち上げてアーム１４の差し込み空間を設けた状態の正面図である。
図２０のように脱落防止枠１０６を脱落防止枠収納ボックス３６より引き出してセットして、タイマーで上層マット移動バー５０を上下させて、患者の躰を上層マットと下層マットで交互に支える事で背中の血行良くし床ずれを防止する。
【実施例】
【０００７】図１は患者を車椅子からベットに乗り移らせる側面図である。
浴槽１６は移動ベットの下に固定式として設置し、排水ポンプ１８を備え直接建物の配水管に接続し排水する。
図２は患者のオムツ処理及び排便をさせる側面図である。
寝たまま使用出来る便器はガイドローラー７９を設け浴槽に取り付けた移動用レール２２に沿って移動ベットの前に押し出しセット出来るように取り付ける。
図３は患者を入浴させる側面図である。
移動ベットの下に浴槽１６を設け、入浴時には移動ベットを前方に移動し入浴スペースを確保する。浴槽には排水ポンプ１８と折りたたみ式の浴槽背面防水板２０及び左右に防水板設け洗いの時の飛散水を防ぐ。
図４はアームリフトとアームの正面図及び側面図である。
アーム上下移動用ギャーモター１を備え、ガイドレール６にアルミ厚板の様な軽金属のボード２１にガイドローラー９と１０を取り付けガイドレール６の中を上下に移動出来る構造とし、ワイヤー２３でアームボード吊り上げローラー２４とアーム上下移動用ギャーモター１を連結し上下移動させる。
アームリフトのアーム１４には柔らかいゴム又はシリコンで防護し患者を持ち上げる。
入浴時、患者をアームに乗せたまま浴槽につけ込むと患者が浴槽に水没するのを防ぐためアームは上半身用アーム２５と下半身用アーム３０に分け上半身用アーム２５は浴槽に沿って折り曲げる構造とし、図１９のように入浴させた時、背もたれ部分が折り曲がり患者の上半身を持ち上げる。
アームを折り曲げた時に固定アームと上半身用アーム２５の間に隙間２７ができ、患者が指を挟む危険があるので上半身用アーム２５と一緒にスライドするスライド式防護板２９を取り付けて上半身用アーム２５に防護板動作フック２８を取り付け、上半身用アーム２５を折り曲げた時は隙間２７を塞ぐようにスライド式防護板２９を下げ、上半身用アーム２５が水平状態では移動ベットの上層マット３８がアーム１４の中に収まるようにスライド式防護板２９は最上部になりスペースを空けるようにする。
アームリフトで患者を持ち上げた時上半身用アーム２５が水平になるように反り返り防止ストッパー２６を設ける事によってアームを水平に維持出来る。
図５は腰掛け型便器に対応出来るアームリフトの正面図である。
図１６のように腰掛け型便器に対応出来るようにアーム連結スライドバー３１を取り付けて上半身アーム２５の折り曲がる角度によって下半身アーム３０が連動して折り曲がる構造とする。
図６はベットの正面及び平面図である。
ベット前後移動用ギャーモーター８によってベット全体を前後移動用レール７に沿って前後に移動出来る構造とする。
マットは輪切りにし、下層マット３７と上層マット３８に分け、ギャーモーター４０の上下移動用ワイヤー巻き取りプリー１５で上層マット移動バー５０を巻き取り上層マット３８を上下に移動させて、患者をベットに乗り移らせたり、ベットから車椅子に乗り移らせる時、患者を上層マット３８で支えアーム１４を差し込んだり抜き取ったりする空間を保持する。
図７は移動ベットの側面図ある。
上下移動用ワイヤー巻き取りプリー１５で上層マット３８を上下に移動させると共にマット全体を持ち上げる動作を１つのギャーモーター４０で行えるように巻き上げワイヤ３３にストッパー５１を取り付け下層マット移動レール３５のストッパー３４に接触させて下層マット移動レール３５を持ち上げてマット全体を持ち上げられる構造とし、背もたれを持ち上げる時は、背もたれ持ち上げギャーモーターと背もたれ巻き取りプリー４４で下層マット架台４９を巻き上げて図２０のようにベットをリクライニングにする。
図８はベット架台の分解図ある。
ベット架台４６に、上層マット移動バー５０で上層マット３８を上下に移動する移動レール５２と下層マット移動レール３５を上下に移動しマット全体を上下に移動させる移動レール５３を取り付ける。
ギャーモーター４０及び上下移動用ワイヤー巻き取りプリー１５と背もたれ巻き取りプリー４４及びテーブル移動レール４２を取り付けた下層マット移動レール３５に下層マット３７のローラーを差し込んだ後、上層マット３８を下層マット３７の隙間に入るように上から乗せて下層マット移動レール３５を移動レール５３に下から差し込む、その後移動レール５２に上層マット移動バー５０を差し込んでストッパー４３で固定する。
図９は２層マットの分解図ある。
９−Ａは上層マット３８の正面図である。
９−Ｂは上層マット移動バー５０正面図である。
９−Ｃは下層マット３７の正面図である。
９−Ｄは下層マット３７と上層マット３８を取り付けた通常の状態にある正面図である。
９−Ｅは上層マット移動バー５０を少し持ち上げマットを平らにした状態の正面図である。
９−Ｆは上層マット移動バー５０を持ち上げ上層マット３８を下層マット３７より上に持ち上げてアーム１４の差し込み空間を設けた状態の正面図である。
各図のように上層マット移動バー５０を上下させて、患者の躰を上層マットと下層マットで交互に支える事で背中の血行良くし床ずれを防止する。
図１０はベット及びリクライニングになる車椅子の正面図である。
図１１はベット及びリクライニングになる車椅子の側面図である。
介護ベットに適用させるため、車椅子の座席を持ち上げなくてもアーム昇降機のアーム１４を差し込めるように車輪を小さくし、アーム１４の幅に収まるように肘掛け６２の中に弧の字型の背もたれお越し歯車アーム５６と操作ハンドル１２を取り付けた第１ギャー５５と第２ギャー５８を収納し、背もたれ及び座席の下にアーム１４の差し込み溝１７を設けて背もたれを倒して車椅子をベット状にした時、後ろに反り返らないように背もたれの角度に沿って後輪６０の車軸を前後に移動出来る構造とし、ハンドル１２を回転させる事で第１ギャー５５より第２ギャー５８にチェーンで回転が伝えられ、弧の字型の背もたれ歯車アーム５６が回転し、背もたれを起こしたり下げたり出来ると同時に下肢アーム歯車５７をも回転させて下半身アームを上下させ、さらに後輪移動歯車６３を回転させて後輪６０を前後に移動させる。
ハンドル１２は図のように握りの部分を折りたため回転軸は伸縮出来る構造とし、肘掛け６２の下に収まるようにする、車椅子又はベットにした時その状態を固定出来るように、ハンドルの握りの部分を折り畳んでストッパー５４で第１歯車を固定する。
通常の車椅子の時は後輪６０を前に、リクライニング及びベットの時は後輪６０を後ろに移動させて車椅子の反り返りを防止する。
背もたれお越し歯車アーム５６はコンパクトに折り曲げられる構造とし、背もたれお越し歯車アーム折り曲げストッパー６９で固定して使用する。
図１２は自走式ベット及びリクライニングになる車椅子の正面図である。
図１３は自走式ベット及びリクライニングになる車椅子の側面図である。
車輪を小さくすると車輪に手が届かなくなるので後輪６０に回転ハンドル付き車輪７２を連結バー７３でタイヤを接触させて連結し、レール７６の中で補助バー７４とローラー７７で前後に移動出来る構造とし、ハンドル１２の巻き取りで後輪６０と回転ハンドル付き車輪７２は連結された状態で補助バー７４とローラー７７で移動レール７６の中を前に移動し、最前部まで移動した後回転ハンドル付き車輪７２をレール７６に沿って最上部に手で持ち上げた後、少し後部に回転ハンドル付き車輪７２を回転させる事でレール７６の最上部で固定される。
ハンドル１２は図のように握りの部分を折りたため回転軸は伸縮出来る構造とし、肘掛け６２の下に収まるようにする、車椅子又はベットにした時その状態を固定出来るように、ハンドルの握りの部分を折り畳んでストッパー５４で第１歯車を固定した後、回転ハンドル付き車輪７２の回転ハンドルを回転させる事で接触したタイヤで後輪６０を回転させて車椅子を前後に動かす自走式車椅子とする。
但し、後輪６０と回転ハンドル付き車輪７２は逆回転になる。
同じ回転方向にしたい場合はタイヤの間に僅かな空間を設けて連結バー７３を取り付け後輪６０と回転ハンドル付き車輪７２をチェーンで連結する。
図１４は寝たまま使用来る便器の側面図である。
排水ポンプ８１、カッター８０、シャワー８７を備え、蓋８６を空けた状態で患者をアーム１４に乗せたまま便器の上にのせ蓋８６を閉じて備え付けのゴム手袋８８に手を差し込んで患者のオムツを剥がしシャワー８７で洗い流してカッター８０でオムツを粉砕し、排水ポンプ８１で排水して処理する。
粉砕機金目８２は上部を目クラにし排水が金目の上部まで溜まってオーバーブローによって次の層の排水ポンプで排水されるように水封する事で臭いの漏れを防止する。
蓋８６のゴム風船は患者の体格に合った防水を行う為のものである、エアーポンプ８４で体格に応じて膨らませてシャワー洗浄時の水漏れを防止する。
図１５は寝たまま使用来る便器の正面図及びオムツ粉砕器の分解図である。
蓋８６を開いた状態で患者をアーム１４に乗せたまま水平に便器の上に下ろし蓋８６を閉じてゴム手袋８８に手を差し込んでオムツを処理する、蓋８６は内部が見えるようにアクリル性の透明なものとする。
図１６は腰掛け型便器の正面図と腰掛け型便器の使用正面図である。
介護ベットに適用させるため、アーム昇降機のアーム１４に患者を乗せたまま便器の上に水平に下ろせるように、アーム１４の幅に収まるように肘掛け９９の中に弧の字型の背もたれお越し歯車アーム９４及びハンドルを取り付けた第１ギャー１００と第２ギャーを収納し、ハンドで背もたれお越し歯車アーム９４を巻き上げ上半身アーム２５と一緒に背もたれを起こして患者を便座の上に腰掛けられるようにし、ポンプの排水能力を洗浄弁の排水能力以上にし洗浄弁と連動させて一回ごとの排水を処理する
弧の字型の背もたれお越し歯車アーム９４はコンパクトに折り曲げられる構造とし、背もたれお越し歯車アーム折り曲げストッパー９６で固定して使用する。
図１７は介護ベットを６畳間にセットした平面図である。
車椅子の乗り移り、入浴、排便、の状態でアームリフトのアーム１４がセット出来る間隔で各備品をセットする。
図１８は患者を車椅子からベットに乗り移らせる状態の正面図である。
ベット及びリクライニングになる車椅子のアーム差し込み溝１７がのアームリフトのアーム１４と一致するように、床にベット及びリクライニングになる車椅をセットする場所をマーキングする。
図１９は患者を入浴させる正面図である。
浴槽はアームリフト１４に患者を乗せて水平にゴム枕１１３まで降ろしていくと患者の頭がゴム枕に固定されアームリフトのアーム１４が浴槽１６に沿って患者を寝かせるように徐々に折り曲がり浴槽に沿ってセットされるように、図１９のような形とする。
洗髪だけの時は患者を乗せたアームリフトを浴槽の上に水平になるようにアームリフトを降ろしてセットし、浴槽の上部の排水器で洗髪する。
浴槽上部の排水器は浴槽のオーバーブローを排水し、手荒い器としてシャワー１１２設備する。
図２０はベットの背もたれを起こした状態の正面図である。
通常では脱落防止枠１０６は収納ボックス３６に収納されており、就寝時や介護人が近くにいなくなる場合は収納ボックス３６より引き出して防護枠１０６をセットする。
２層マットをタイマーで交互に引き上げて床ずれ防止マットを使用する時はこの防護枠１０６をセットする。
移動テーブル１０７は使用時だけ折り曲げてテーブル状にし、移動レール４２で前後に移動出来るようにし、アームリフトの動作の邪魔にならないように通常は折り曲げ部を伸ばしベット架台４６に沿って固定出来る構造とする。
防護板１０９はマットの上半身マットを引き上げてリクライニングにした時にマットの隙間が出来、タオル等の物が落ち込まないように下半身移動マットの移動に合わせて動作する。
図２１はベットの前に車椅子を残したままベットを持ち上げ移動させて患者を入浴させる側面図である。
ベット及びリクライニングになる車椅を残したまま移動ベットを車椅子の上に移動させる時は移動ベットを前方へ水平移動させてアームリフトのアーム１４を持ち上げられるスペースを空けてをアーム１４持ち上げて取り出し、移動ベットの２層マットの上層マットで患者を持ち上げ患者の背中に空間を作りアーム１４を差し込んで完全に差し込んだのを確認し患者の躰全体がアーム１４の上にあるのを確認して防護枠１１を閉じて患者を最上部に持ち上げた後、上下移動用ワイヤー巻き取りプリー１５及びギャーモーター４０で巻き上げワイヤ３３を巻き取上層マット３８を持ち上げると共にストッパー５１で下層マット移動レール３５のストッパー３４に接触させて下層マット移動レール３５を持ち上げてマット全体をベット及びリクライニングになる車椅より上に持ち上げて移動させる。
その後、アーム昇降機１を操作して患者を浴槽の上に運び入浴指せる。
【発明の効果】
【０００８】この発明は、以上説明したように寝たきり患者の介護に当たって労働的負担を最小限に行え、介護人が高齢者であっても患者の入浴、トイレ車椅子への乗り換え作業が安全で一人で行える。
【図面の簡単な説明】
【０００９】
【図１】患者を車椅子からベットに乗り移らせる側面図である。
【図２】患者のオムツ処理及び排便をさせる側面図である。
【図３】患者を入浴させる側面図である。
【図４】アームリフトの正面及び側面図である。
【図５】腰掛け型便器に対応出来るアームリフトの正面図である。
【図６】移動ベットの正面及び平面図である。
【図７】移動ベットの側面図ある。
【図８】移動ベット架台の分解図ある。
【図９】２層マットの分解図ある。
【図１０】ベット及びリクライニングになる車椅子の正面図である。
【図１１】ベット及びリクライニングになる車椅子の側面図である。
【図１２】自走式ベット及びリクライニングになる車椅子の正面図である。
【図１３】自走式ベット及びリクライニングになる車椅子の側面図である。
【図１４】寝たまま使用来る便器の側面図である。
【図１５】寝たまま使用来る便器の正面図とオムツ粉砕器の分解図である。
【図１６】腰掛け型便器の正面図と腰掛け型便器の使用正面図である
【図１７】介護ベットを６畳間にセットした平面図である。
【図１８】患者を車椅子からベットに乗り移らせる状態の正面図である。
【図１９】患者を入浴させる正面図である。
【図２０】ベットの背もたれを起こした状態の正面図である。
【図２１】ベットの前に車椅子を残したままベットを持ち上げ移動させて患者を入浴させる側面図である。
【符号の説明】
【００１０】１．アーム昇降機上下動作ギャーモーター
２．ベット前後移動用ローラー
３．アーム昇降機前後移動用ローラー
４．アーム昇降機前後移動用レール
５．アーム昇降機前後移動用ギャーモーター
６．アーム昇降機上下移動ガイドレール
７．ベット前後移動用レール
８．ベット前後移動用ギャーモーター
９．アーム昇降機ガイドローラー
１０．アーム昇降機ガイドローラー
１１．脱落防止枠
１２．車椅子背もたれ操作ハンドル
１３．マット
１４．アーム
１５．上層マット及びベット上下移動用ワイヤー巻き取りプリー
１６．浴槽
１７．アーム差し込み溝
１８．浴槽排水ポンプ
１９．オムツ粉砕機
２０．浴槽背面防水板
２１．アームボード
２２．便器ガイドレール
２３．アームボード吊り上げワイヤー
２４．アームボード吊り上げローラー
２５．上半身用アーム
２６．上半身用アーム反り返り防止ストッパー
２７．上半身用アームの動作隙間
２８．防護板動作フック
２９．防護板
３０．下半身用アーム
３１．アーム連結スライドバー
３２．ベット吊り上げローラー
３３．ベット吊り上げワイヤー
３４．ベット架台吊り上げフック
３５．下層マット移動レール
３６．脱落防止枠収納ボックス
３７．下層マット
３８．上層マット
３９．蝶番
４０．上層マット上下移動及びベット上下移動用ギャーモーター
４１．ローラー
４２．テーブル移動レール
４３．マット移動レールストッパー
４４．ベット背もたれお越しワイヤー巻き取りプリー
４５．下層マット架台ローラー
４６．マット取り付け架台
４７．上層マット架台
４８．上層マット取り付けバー
４９．下層マット架台
５０．上層マット移動バー
５１．マット上下移動用巻き上げワイヤストッパー
５２．上層マット移動バー上下移動ガイドレール
５３．下層マット移動レール上下移動ガイドレール
５４．第１歯車ストッパー
５５．第１歯車
５６．背もたれアーム弧の字型歯車
５７．下肢アーム歯車
５８．第２歯車
５９．後輪車軸ローラー
６０．後輪
６１．背もたれシート
６２．肘掛け
６３．車椅子後輪移動用歯車
６４．後輪移動レール
６５．前輪
６６．車椅子後輪移動バー
６７．下肢アームシート
６８．後輪移動フック
６９．背もたれ折り曲げストッパー
７０．後輪移動ローラー
７１．後輪移動ローラー
７２．接触車輪
７３．後輪接触車輪連結バー
７４．自走式用後輪移動バー
７５．接触車輪車軸ローラー
７６．接触車移動レール
７７．自走式用後輪移動ローラー
７８．粉砕機モーター
７９．便器収納ガイドローラー
８０．カッター
８１．排水ポンプ
８２．粉砕機金目
８３．防水風船
８４．エアーポンプ
８５．防水風船
８６．便器カバー
８７．シャワー
８８．手袋
８９．便器ロックフック
９０．便器
９１．配水管
９２．下肢部防水風船
９３．蝶番
９４．背もたれお越し歯車アーム
９５．給水管
９６．背もたれお越し歯車アーム折り曲げストッパー
９７．粉砕器モーター
９８．カッター付き排水ポンプ
９９．肘掛け
１００．ハンドルを取り付けた第１ギャー
１０１．便器
１０２．寝たまま使用出来る便器収納レール
１０３．寝たまま使用出来る便器収納スペース
１０４．車椅子収納スペース
１０５．ベット状になった車椅子
１０６．脱落防止枠
１０７．移動テーブル
１０８．蝶番
１０９．防護板
１１０．脱落防止枠留め金
１１１．脱落防止枠留め金坐金
１１２．シャワー
１１３．ゴム枕
【図１】
2008272400.tif 000003
【図２】
2008272400.tif 000004
【図３】
2008272400.tif 000005
【図４】
2008272400.tif 000006
【図５】
2008272400.tif 000007
【図６】
2008272400.tif 000008
【図７】
2008272400.tif 000009
【図８】
2008272400.tif 000010
【図９】
2008272400.tif 000011
【図１０】
2008272400.tif 000012
【図１１】
2008272400.tif 000013
【図１２】
2008272400.tif 000014
【図１３】
2008272400.tif 000015
【図１４】
2008272400.tif 000016
【図１５】
2008272400.tif 000017
【図１６】
2008272400.tif 000018
【図１７】
2008272400.tif 000019
【図１８】
2008272400.tif 000020
【図１９】
2008272400.tif 000021
【図２０】
2008272400.tif 000022
【図２１】
2008272400.tif 000023